(57)【特許請求の範囲】
【請求項１】
電線の外周部を包囲する略筒状の磁性体と、
該磁性体の内周と外周にわたってループ状に形成された少なくとも一体の導電体と、
を備え、
前記導電体が、前記包囲した前記電線を軸方向に垂直に付勢する板バネとして構成されたものである
ことを特徴とする雑音電流吸収具。
【請求項２】
請求項１に記載の雑音電流吸収具において、
前記磁性体が、軸方向に沿った面にて２分割されたものである
ことを特徴とする雑音電流吸収具。
【請求項３】
電線の外周部を包囲する略筒状の磁性体と、
該磁性体の内周と外周にわたってループ状に形成された少なくとも一体の導電体と、
を備え、
前記磁性体が、軸方向に沿った面にて２分割されたものであって、
前記導電体が、前記２分割された前記磁性体を、前記電線を包囲する状態から離脱不能に保持する保持具を兼ねている
ことを特徴とする雑音電流吸収具。
【請求項４】
電線の外周部を包囲する略筒状の磁性体とともに用いられ、
該磁性体の内周と外周にわたってループ状に形成され、
前記包囲した前記電線を軸方向に垂直に付勢する板バネとして構成されていることを特徴とする雑音電流吸収具用導電体。
【請求項５】
請求項４に記載の雑音電流吸収具用導電体において、
前記磁性体が、軸方向に沿った面にて２分割されたものである
ことを特徴とする雑音電流吸収具用導電体。
【請求項６】
電線の外周部を包囲する略筒状であって、軸方向に沿った面にて２分割された磁性体とともに用いられ、
該磁性体の内周と外周にわたってループ状に形成され、
該磁性体を、前記電線を包囲する状態から離脱不能に保持する保持具を兼ねている
ことを特徴とする雑音電流吸収具用導電体。
【請求項７】
請求項６に記載の雑音電流吸収具用導電体において、
軸に垂直な断面が矩形であって該矩形のいずれかの辺に平行な前記面にて２分割された前記磁性体、とともに用いられ、
前記面に垂直な方向から該磁性体を挟持する挟持片
を備えたことを特徴とする雑音電流吸収具用導電体。
【発明の詳細な説明】
【０００１】
【発明の属する技術分野】
本発明は、電子機器の電線に外嵌され、電子機器内部で発生した雑音電流、或いは外部で発生し電線を通して電子機器内に流れ込む雑音電流を吸収する雑音電流吸収具およびこの雑音電流吸収具に用いられる導電体に関する。
【０００２】
【従来の技術】
従来より、電線に流れる雑音電流（ノイズ）を除去又は抑制する技術として、電線の周囲を磁性体（例えば、フェライト）で包囲して、電線を流れる雑音電流を減衰させるようにした雑音電流吸収具が知られている。こうした雑音電流吸収具には、磁性体のみで環状の閉磁路を形成するよう構成された非分割型のものや、複数に分割された磁性体で電線の周囲を包囲した際に閉磁路を形成する分割型のものなど様々な種類がある。この磁性体で形成された閉磁路に雑音電流により発生した環状の磁束ができると、磁性体内部で雑音電流の電磁エネルギーが熱エネルギーに変換される。
【０００３】
この特性は、通常、周波数に対するＺ成分値（インピーダンス成分）で表され、そのＺ成分の中でもＲ成分がノイズ除去効果に大きく起因しているといわれている。Ｒ成分を高周波領域で大きい値とするには、磁性体を大きくする方法が取られる。
【０００４】
【発明が解決しようとする課題】
しかしながら磁性体を大きくするのは、近年電子機器の小型化が進み、磁性体を取り付けるスペースが限られていることが多いこと等から困難であるケースが多い。
【０００５】
本発明はかかる課題に鑑みなされたもので、大型化することなく高周波領域で効率的にノイズ除去を可能にすることを目的としている。
【０００６】
【課題を解決するための手段および発明の効果】
かかる課題を解決するためになされた請求項１に記載の雑音電流吸収具は、電線の外周部を包囲する略筒状の磁性体と、該磁性体の内周と外周にわたってループ状に形成された少なくとも一体の導電体と、を備え、前記導電体が、前記包囲した前記電線を軸方向に垂直に付勢する板バネとして構成されたものであることを特徴とする。
【０００７】
請求項２に記載の本発明は、請求項１に記載の雑音電流吸収具において、前記磁性体が、軸方向に沿った面にて２分割されたものであることを特徴とする。
請求項３に記載の本発明は、電線の外周部を包囲する略筒状の磁性体と、該磁性体の内周と外周にわたってループ状に形成された少なくとも一体の導電体と、を備え、前記磁性体が、軸方向に沿った面にて２分割されたものであって、
前記導電体が、前記２分割された前記磁性体を、前記電線を包囲する状態から離脱不能に保持する保持具を兼ねていることを特徴とする。
【０００９】
請求項４に記載の本発明は、電線の外周部を包囲する略筒状の磁性体とともに用いられる雑音電流吸収具用導電体であって、該磁性体の内周と外周にわたってループ状に形成され、前記包囲した前記電線を軸方向に垂直に付勢する板バネとして構成されていることを特徴とする。
請求項５に記載の本発明は、請求項４に記載の雑音電流吸収具用導電体において、前記磁性体が、軸方向に沿った面にて２分割されたものであることを特徴とする。
【００１０】
請求項６に記載の本発明は、電線の外周部を包囲する略筒状であって、軸方向に沿った面にて２分割された前記磁性体とともに用いられ、該磁性体の内周と外周にわたってループ状に形成され、該磁性体を、前記電線を包囲する状態から離脱不能に保持する保持具を兼ねていることを特徴とする。
【００１１】
請求項７に記載の本発明は、請求項６に記載の雑音電流吸収具用導電体において、軸に垂直な断面が矩形であって該矩形のいずれかの辺に平行な前記面にて２分割された前記磁性体、とともに用いられ、前記面に垂直な方向から該磁性体を挟持する挟持片を備えたことを特徴とする。
【００１２】
【発明の実施の形態】
請求項１に記載の雑音電流吸収具は、従来よりある電線の外周部を包囲する略筒状の磁性体に、その内周と外周にわたってループ状に導電体を形成したものである。こうすると、磁性体を大きくしなくとも、雑音電流吸収具の周波数特性が向上する（実施例にて後述）。なお、導電体は使用時にループ状になっていればよい。例えば、雑音電流吸収具を電線から取り外した状態では一部がとぎれており、電線に取り付けるとその切目が閉じてループ状になるようにしても良い。
【００１３】
また、請求項１に記載の雑音電流吸収具は、導電体を、包囲された電線を軸方向に垂直に付勢する板バネとして構成したものである。こうすると、雑音電流吸収具と電線の相対位置を維持することができる。
請求項３に記載の本発明は、磁性体が軸方向に沿った面にて２分割されており、導電体が、２分割された磁性体を、電線を包囲する状態から離脱不能に保持する保持具を兼ねている。こうすると、保持具に相当するものを別途設ける必要が無くなり、構成を簡素にすることができる。
【００１４】
なお、磁性体を収納する収納ケースを備えており、導電体が、収納ケースに形成されているように構成してもよい。この収納ケースにて磁性体を収納すると、導電体が磁性体の内周と外周にわたって位置される。この雑音電流吸収具によれば、収納ケースで磁性体を覆えば、その磁性体を周波数特性に優れたものにすることができる。
【００１５】
なお、請求項４、５、６に記載の雑音電流吸収具用導電体（単に導電体とも言う）は、それぞれ請求項１、２、３に記載の雑音電流吸収具に適用される導電体に対応している。即ちこれらの導電体を、対応する磁性体に適用すれば、優れた周波数特性および前述の効果を発揮するものとなる。また請求項７に記載の雑音電流吸収具用導電体は、請求項６の導電体の具体例を示すものである。すなわち、この導電体は、軸に垂直な断面が矩形であって該矩形のいずれかの辺に平行な面にて２分割された磁性体とともに用いられるのもので、この分割面に垂直な方向から磁性体を挟持する挟持片を備えている。これにより、電線を包囲する状態から離脱不能に保持することができる。
【００１６】
【実施例】
以下に本発明の実施例を図面と共に説明する。
［実施例１］
まず図１（ａ）は本発明の１実施例である雑音電流吸収具２ａをケーブル４に取り付けた様子を示す斜視図である。雑音電流吸収具２ａは、円筒状のフェライトコア６にワイヤー状の導電体８ａをループ状に取り付けたものである。この導電体８ａにより、フェライトコア６の内周と外周とが導電体で繋がれた状態となる。このような雑音電流吸収具２ａによれば、導電体８ａがない従来の雑音電流吸収具に比べ、ノイズ吸収特性に優れたものとなる。
【００１７】
これを確かめるために以下のような実験を行なった。試料として、図１（ｂ）に示す本発明の雑音電流吸収具２ａと、図１（ｃ）に示す従来の雑音電流吸収具１２とを、それぞれ測定用ケーブル１０を介してインピーダンスアナライザに接続し、両者のインピーダンスの周波数特性（インピーダンス特性）を、１ＭＨｚ〜１８００ＭＨｚにわたって測定した。その結果、図２の様なグラフを得た。横軸が周波数、縦軸がインピーダンスである。本発明の試料を○、従来の試料を□で表しており、斜線が施されているのがＺ成分、施されていないのがＲ成分である。
【００１８】
このグラフに示すように、Ｚ成分、Ｒ成分のいずれも、図１（ｂ）即ち本発明の試料の方が大きな値を呈している。これにより、雑音電流吸収具２ａによれば、導電体８ａのない従来の雑音電流吸収具に比べ、フェライトコア６を大きくすることなく、約２００ＭＨｚ以降の周波数において優れた周波数特性を得られる。
【００１９】
［実施例２、３］
導電体の形状を変えた例を図３（ａ）に示す。この実施例では、導電体８ｂが板バネの作用をするようにされている。これによりケーブル４は、その軸方向に垂直な方向に付勢され、雑音電流吸収具２ｂとケーブル４の相対位置が保持される。そして雑音電流吸収具２ａと同様、優れた周波数特性を得られる。
【００２０】
また、この実施例は図３（ｂ）のようにしてもよい。本図に示す雑音電流吸収具２ｃでは、フェライトコアがフェライトコア６ａとフェライトコア６ｂとに２分割されており、それぞれ収納ケース１８ａ、収納ケース１８ｂに覆われている。これは、ケーブル４への装着のし易さを配慮したものである。なお本図ではケーブル４を透視している。そして導電体８ｃは導電体８ｂと同様、板バネの作用を有しており、その付勢力がフェライトコア６ｂを収納ケース１８ｂから離反させる方向に働くようにされている。
【００２１】
これによりフェライトコア６ａ、６ｂの接合圧が付与され、フェライトコア６ａ、６ｂは所望のノイズ除去効果を発揮する。更に導電体８ｃの圧力によりケーブルを保持できる。また雑音電流吸収具２ａ、２ｂと同様、導電体８ｃにより優れた周波数特性を有したものとなる。
【００２２】
なお、雑音電流吸収具２ｂ、２ｃの導電対８ｂ、８ｃはいずれもその一部がとぎれているが、雑音電流吸収具２ｂ、２ｃをケーブル４に取り付けることによりこの切目が閉じてループ状になる。
［実施例４］
本発明の第４の実施例である雑音電流吸収具２ｄを図４（ａ）に示す。この雑音電流吸収具２ｄでは磁性体がフェライトコア６ｃとフェライトコア６ｄとに分かれており、使用時には収納ケース２０ａ、収納ケース２０ｂにて保護される。そしてこの収納ケース２０ａ、２０ｂの内側にそれぞれ略コ字型の導電体８ｄ'、導電体８ｄ''が設けられており、収納ケース２０ａ、２０ｂにてフェライトコア６ｃ、６ｄを覆うと導電体８ｄ'、８ｄ''が接触してループ状になる。
【００２３】
このような雑音電流吸収具２ｄによっても、雑音電流吸収具２ａ〜２ｃと同様、優れた周波数特性を発揮する。
［実施例５］
本発明の第５の実施例である雑音電流吸収具２ｅを図４（ｂ）に示す。雑音電流吸収具２ｅでは、磁性体が共に縦長のコ字型のフェライトコア６ｅとフェライトコア６ｆとに分かれている。そして２個の導電体８ｅが、フェライトコア６ｅ、６ｆを離反しないように挟持している。導電体８ｅは図４（ｃ）に示すようにフェライトコア６ｅ、６ｆを挟持するための挟持片２４ａ、２４ｂを備えており、その中間に、フェライトコア６ｅ、６ｆの内周と外周をつなぐアーム２２を備えている。アーム２２は切目があるものの、それらは接触しており、フェライトコア６ｅ、６ｆの内周と外周とを連絡するループ状の導体となっている。
【００２４】
このような雑音電流吸収具２ｅによっても、雑音電流吸収具２ａ〜２ｄと同様、優れた周波数特性を発揮する。なお、この雑音電流吸収具２ｅは、フラットケーブルのノイズ吸収に用いられる。
［その他］
以上、本発明を実施した態様について説明してきたが、本発明はこれらの実施例に何等限定されるものではなく様々な態様で実施しうる。
【００２５】
例えば、導電体は、ワイヤーまたは板金折り曲げ構造としたが、導電性があるものをループ状に形成しさせすれば、様々な態様、及び形成方法を適用できる。具体的には、導電性のテープ、塗料、接着剤で実現したり、またスパッタリングで磁性体上に導電体を形成したりしても良い。
【００２６】
導電体の数も、雑音電流吸収具２ａ〜２ｄのような１個や雑音電流吸収具２ｅのように２個に限らない。例えば、図５（ａ）の雑音電流吸収具２ｆのように導電体８ｆを３個以上設けても良い。また、図５（ｂ）の雑音電流吸収具２ｇのように得たい高周波対策効果に合わせて導電体８ｇの占有面積を大きくしてもよい。あるいは（又はこれらに加えて）、図５（ｃ）の雑音電流吸収具２ｈのように導電体８ｈと可変抵抗２８を組み合せて導電体の抵抗値を変化させＺ成分およびＲ成分の周波数特性を変更することも可能である。
【００２７】
また磁性体をフェライト以外のものにしてもよい。例えば、フェライトの粉末をプラスチック、合成ゴム等に混入させたもの、ケイ素鋼の金属磁芯、モリブデン等の圧粉磁芯等が挙げられるが、これに限らずどの様なものでも良い。
【図面の簡単な説明】
【図１】  本発明の雑音電流吸収具２ａおよび実験で用いた試料を示す説明図である。
【図２】  本発明の雑音電流吸収具と従来の雑音電流吸収具の周波数特性を比較するためのグラフである。
【図３】  本発明の第２実施例および第３実施例を示す斜視図である。
【図４】  本発明の第４実施例および第５実施例を示す斜視図である。
【図５】  本発明の他の態様を示す斜視図である。
【符号の説明】
２ａ〜２ｈ…雑音電流吸収具
４…ケーブル（電線）
６、６ａ〜６ｆ…フェライトコア（磁性体）
８ａ〜８ｈ…導電体（雑音電流吸収具用導電体）
２０ａ、２０ｂ…収納ケース
２４ａ、２４ｂ…挟持片
【図１】
0004408526.tif 000002
【図２】
0004408526.tif 000003
【図３】
0004408526.tif 000004
【図４】
0004408526.tif 000005
【図５】
0004408526.tif 000006